(57)【要約】【課題】従来のシャワーヘッドは、体格や立位、座位に関わらずシャワーを浴びている最中は浴室壁面の既設のシャワー掛具に掛けて保持するか、片手に持って使用していた。そこには、壁面の掛具にシャワーヘッドが掛かっていることにより壁面に近付いて窮屈な姿勢を取って温水が当たるように自分の体を移動したり、シャワーヘッドを片手に持って使用すると両手が使えないという問題があった。【解決手段】既設のシャワー掛具に挿入して支持する支持部材１３と適度な剛性があって屈曲自在なフレキシブル部材１２と既設のシャワーヘッドを鋏んで保持するクリップ部材１１とで構成した。これにより、両手が使えることは勿論の事、容易にシャワーヘッドの高さや向きを調整でき、体格や立位、座位に関わらず、楽な姿勢でシャワーを浴びられシャワーの使用感を向上することができる。【選択図】図１
2006274772.tif 000002
【特許請求の範囲】
【請求項１】
シャワーホースが接続される本体の基端側に被保持部を備えると共に前記本体の先端側に前記シャワーホースにより供給される温水を放出する放水部を備えたシャワーヘッドを設け、このシャワーヘッドを浴室の壁面に保持させるシャワーヘッドの保持構造において、適度な剛性があって屈曲自在なフレキシブル部材とこのフレキシブル部材の一端側を前記浴室の壁面に支持させる支持部材と前記フレキシブル部材の他端側に前記シャワーヘッドの被保持部を保持させる保持クリップ部材とからなることを特徴とするシャワーヘッド保持具。
【請求項２】
前記フレキシブル部材は、適度な剛性があって屈曲自在な材料により形成して設けたことを特徴とする請求項１に記載のシャワーヘッド保持具。
【請求項３】
前記支持部材は、前記浴室の壁面に取り付けられたシャワー掛具の支持穴部に挿入して支持され、天地を返して使用出来ることを特徴とする請求項１に記載のシャワーヘッド保持具。
【請求項４】
前記保持クリップ部材は、前記シャワーヘッドの被保持部を鋏んで保持することを特徴とする請求項１に記載のシャワーヘッド保持具。
【発明の詳細な説明】
【技術分野】
【０００１】    この発明は、浴室などの既設のシャワー掛具とシャワーヘッドとの間に両者を中継する様に実装して、体格に合わせてシャワーヘッドの高さや向きを調整でき、楽な姿勢でシャワーを浴びることができ、使用感を向上し得るシャワーヘッド保持具に関する。
【背景技術】
【０００２】    浴室に設けられるシャワー装置は、シャワーホースが接続される本体の基端側に被保持部を備えるとともに先端側にシャワーホースにより供給される温水を放出する放水部を備えたシャワーヘッドを設けている。シャワーヘッドは、通常、浴室の壁面に適宜のシャワー掛具により被保持部を掛けて保持させている。【０００３】    従来のシャワーヘッドの保持構造には、浴室の壁面に取り付けたシャワー掛具の差込穴部にシャワーヘッドの被保持部を挿入して保持させるシャワー掛具の保持構造において、前記シャワー掛具の差込穴部内に係合凹部を設け、前記シャワーヘッドの被保持部に前記係合凹部に弾性係合される係合突起を設け、シャワー掛具にシャワーヘッドを安定して保持させたものがある（例えば、特許文献１参照。）。【０００４】    また、従来のシャワーヘッドの保持構造には、弾性体により伸縮自在な筒状の伸縮性支持棒を浴室の壁面に沿って上下方向に設置し、この伸縮性支持棒にシャワーヘッドを保持するシャワー掛具を任意高さ位置で固定可能に設けたものがある（例えば、特許文献２参照。）。【０００５】
【特許文献１】  特開平１１−３１５５６８号公報
【特許文献２】  特開平８−３１１９４６号公報
【発明の開示】
【発明が解決しようとする課題】
【０００６】    従来のシャワーヘッド保持構造においては、前述の如く、浴室の壁面に取り付けたシャワー掛具にシャワーヘッドを挿入して保持させ、あるいは、浴室の壁面に沿って上下方向に設置した伸縮性支持棒にシャワー掛具を任意高さ位置で固定し、このシャワー掛具にシャワーヘッドを保持させている。【０００７】    ところが、従来のシャワーヘッド保持構造は、浴室の壁面にシャワー掛具を直接取り付け、あるいは浴室の壁面に沿う伸縮性支持棒にシャワー掛具を上下移動可能に設置しているため、シャワーヘッドが浴室の壁面に近接した状態で保持されている。【０００８】    このため、従来のシャワーヘッド保持構造においては、シャワーを浴びる際に、壁面に体を近づけて窮屈な姿勢を取らなければならない問題があり、圧迫感を受ける不都合があるとともに、例えば妊婦等のように前屈みの体勢を取ることが困難な人にとっては椅子に座った状態でシャワーを浴びることが困難な不都合がある。【０００９】    また、従来のシャワーヘッド保持構造においては、シャワー掛具にシャワーヘッドが一定の高さ及び角度で保持されている為、シャワーの放水高さや放水向きを調節することができない不都合があり、シャワーの使い勝手が悪い不都合がある。
【課題を解決するための手段】
【００１０】    そこで、この発明は、シャワーホースが接続される本体の基端側に被保持部を備えるとともに前記本体の先端側に前記シャワーホースにより供給される温水を放出する放水部を備えたシャワーヘッドを設け、このシャワーヘッドを浴室の壁面に保持させるシャワーヘッド保持構造において、適度な剛性があって屈曲自在なフレキシブル部材とこのフレキシブル部材の一端側を前記浴室壁面のシャワー掛具に支持させる支持部材と前記フレキシブル部材の他端側に前記シャワーヘッドの被保持部を鋏んで保持させる保持クリップ部材とからなることを特徴とする。
【発明の効果】
【００１１】    この発明のシャワーヘッド保持具は、シャワーヘッドを浴室の壁面から適宜の距離だけ離間させて保持させることができるため、シャワーを浴びる際に、壁面に体を近付けて窮屈な姿勢をとる必要がなく、楽な姿勢でシャワーを浴びることができる。また、この発明のシャワーヘッド保持具は、フレキシブル部材を屈曲させることによって、シャワーヘッドの高さ及び角度を任意に変更することができるため、体格に合わせてシャワーの放水高さや放水向きを調整することができ、使用感を向上することができる。
【発明を実施するための最良の形態】
【００１２】    この発明のシャワーヘッド保持具は、適度な剛性があって屈曲自在なフレキシブル部材の一端側を支持部材によって浴室壁面のシャワー掛具に支持させ、このフレキシブル部材の他端側に保持クリップ部材によってシャワーヘッドの被保持部を鋏んで保持させることによって、シャワーヘッドを浴室の壁面から適宜の距離だけ離間させて保持させることができ、また、フレキシブル部材を屈曲させることによって、シャワーヘッドの高さ及び角度を任意に変更することができる。
【実施例】
【００１３】    以下図面に基づいて、この発明の実施例を説明する。図１・図２・図３は、第１実施例を示すものである。図２・図３において、５は浴室、６は床面、４は壁面、７は椅子、８は浴びる人、２はシャワーヘッド、２４はシャワーホースである。シャワーヘッド２は、図１に示す如く、シャワーホース２４により供給される温水を放出する放水部２１を備えている。【００１４】    このシャワーヘッド２を浴室５の壁面４に保持させるシャワーヘッド２の保持構造においては、シャワーヘッド保持具１を設けている。シャワーヘッド保持具１は、適度な剛性があって屈曲自在なフレキシブル部材１２と、このフレキシブル部材１２の一端側を浴室５の壁面４に支持させる支持部材１３と、このフレキシブル部材１２の他端側にシャワーヘッド２の被保持部２３を鋏んで保持させる保持クリップ部材１１とからなる。【００１５】    前記フレキシブル部材１２は、適宜の長さ（例えば、３０ｃｍ）を有し、適度な剛性があって屈曲自在な金属材料により形成して設けている。なお、フレキシブル部材１２は、シャワーを浴びる人８が片手で容易に屈曲させることができ、且つシャワーヘッド２の重量に耐える強度を有している。【００１６】    前記支持部材１３は、フレキシブル部材１２の一端側に接続される。この支持部材１３は、浴室５の壁面４に取り付けられた平面視において略Ｃ字形状のシャワー掛具３に支持される。シャワー掛具３には、支持部材１３を挿入して支持するテーパ形状の支持穴部３１を設け、シャワーホース２４を挿通する開口部３２を設けている。【００１７】    前記保持クリップ部材は、フレキシブル部材１２の他端側に接続される。この保持クリップ部材は、シャワーヘッド２の本体２２の被保持部２３を鋏んで保持させる。
【図面の簡単な説明】
【図１】第１実施例を示す保持具によりシャワーヘッドを保持する際の斜視図である。
【図２】第１実施例を示す保持具の使用状態の斜視図である。
【図３】第１実施例を示す保持具によりシャワーヘッドを保持する際の斜視図である。
【図４】本発明の斜視図である。
【符号の説明】
１  シャワーヘッド保持具                ２２  本体
２  シャワーヘッド                      ２３  被保持部
３  シャワー掛具                        ２４  シャワーホース
４  壁面                                ３１  支持穴部
５  浴室                                ３２  開口部
６  床面
７  椅子
８  浴びる人
１１  保持クリップ部材
１２  フレキシブル部材
１３  支持部材
２１  放水部
【図１】
2006274772.tif 000003
【図２】
2006274772.tif 000004
【図３】
2006274772.tif 000005
【図４】
2006274772.tif 000006